(57)【特許請求の範囲】
【請求項１】
被記録媒体に記録を行う記録手段を備えた記録装置であって、
前記記録装置の外装の一部に形成された開口が覆われたクローズ状態と、前記開口が開放されたオープン状態と、を形成するカバー部材と、
前記カバー部材から装置内部への突出量が大なる突出状態と前記突出量が小なる非突出状態とをとり得るよう前記カバー部材に直接又は他の部材を介して設けられ、前記カバー部材が前記クローズ状態を形成する際に、前記突出状態をとることで搬送される被記録媒体を下流側へ案内する、被記録媒体を搬送する搬送経路の一部を構成するガイド部材と、
前記ガイド部材が前記非突出状態を維持するよう前記ガイド部材の状態をロックするガイド部材ロック手段と、
前記カバー部材が前記クローズ状態を保持するよう前記カバー部材をロックするロック状態と当該ロック状態を解除するロック解除状態とを切換可能なカバー部材ロック手段と、
前記カバー部材ロック手段と連係し、前記カバー部材がロックされると前記ガイド部材を前記突出状態とし、前記カバー部材のロック状態が解除されると前記ガイド部材を前記非突出状態とするガイド部材切換手段と、を備え、
前記ガイド部材ロック手段が前記カバー部材の側に設けられ、前記カバー部材が前記オープン状態を形成する際に、常に前記ガイド部材の前記非突出状態が維持される構成を備える、
ことを特徴とする記録装置。
【請求項２】
請求項１に記載の記録装置において、前記カバー部材が、前記記録装置の本体に回動可能に設けられ、回動することによって前記クローズ状態と前記オープン状態とを形成することを特徴とする記録装置。
【請求項３】
請求項１に記載の記録装置において、前記カバー部材が、前記記録装置の本体に着脱自在に設けられ、装着状態において前記クローズ状態を形成し、取り外し状態において前記オープン状態を形成することを特徴とする記録装置。
【請求項４】
請求項１乃至３のいずれか１項に記載の記録装置において、前記カバー部材ロック手段が、前記記録装置の本体と係合して前記カバー部材を前記クローズ状態にロックするロック位置と、前記記録装置の本体との係合を解除して前記ロック状態を解除する非ロック位置と、を変位可能に設けられるロック部材と、
当該ロック部材を前記ロック位置に向けて付勢するロック部材付勢手段と、を備えて構成されていることを特徴とする記録装置。
【請求項５】
請求項４に記載の記録装置において、前記ガイド部材ロック手段が、前記カバー部材が前記オープン状態を形成する際に前記ロック部材の一部と係合して当該ロック部材を前記非ロック位置に保持する保持位置と、前記カバー部材が前記クローズ状態を形成する際に前記ロック部材の一部と係合せずに当該ロック部材の変位動作を許容する非保持位置と、を変位可能に設けられる保持部材と、
前記保持部材を前記保持位置に向けて付勢する保持部材付勢手段と、を備えて構成され、
前記カバー部材が前記クローズ状態を形成する際には、前記保持部材が、前記記録装置の本体の一部と係合することにより、前記保持部材付勢手段の付勢力に抗して前記非保持位置に位置し、
前記カバー部材が前記オープン状態を形成する際には、前記保持部材が、前記保持部材付勢手段からの付勢力を受けて前記保持位置に位置するよう構成されている、
ことを特徴とする記録装置。
【請求項６】
請求項１から５のいずれか１項に記載の記録装置において、被記録媒体を湾曲反転させて給送する湾曲反転給送経路を備え、
前記ガイド部材が、前記突出状態において前記湾曲反転給送経路の一部を構成するとともに、被記録媒体をガイドするガイド面を前記湾曲反転経路の終了位置から下流側に延設する様構成されている、
ことを特徴とする記録装置。
【発明の詳細な説明】
【技術分野】
【０００１】
本発明は、ファクシミリやプリンタ等に代表される記録装置及び液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
ファクシミリやプリンタ等に代表される記録装置においては、装置内部で紙ジャムが発生した際に用紙を取り除く為、用紙搬送経路の一部を露呈させるカバー部材を備えたものがある。  
特に、略Ｕ字状の搬送経路（湾曲反転経路）を備えたプリンタにおいては、略Ｕ字状の搬送経路において紙ジャムが発生し易いことから、当該略Ｕ字状の搬送経路の外側に、上記の様なカバー部材が開閉自在に設けられることがある（例えば、特許文献１参照）。
【０００３】
【特許文献１】特許第２５２９２６１号公報
【発明の開示】
【発明が解決しようとする課題】
【０００４】
ところで湾曲反転経路を備えた記録装置においては、湾曲反転経路の外側に設けられ、用紙を下流側にガイドするガイド部材のガイド面を、極力湾曲反転経路の終了位置から更に下流側に延設することが望ましい。これにより、用紙の湾曲反転部分から更に下流側の安定した領域にまで用紙搬送経路をシームレスに形成することができ、紙ジャムの虞をより一層小さくすることができる。
【０００５】
ここで、紙ジャム処理の為に用紙搬送経路の一部を露呈させる為には、上記ガイド部材をカバー部材とともに取り外す必要が生じる場合がある。しかし、ガイド部材を上記の様に下流側にまで延設すると、ガイド部材が大型化する為、例えばカバー部材を記録装置の本体に回動自在に設ける場合には、カバー部材を開こうとした際にガイド部材が大きく突出した状態で回動する為に他の構成要素と干渉し易く、これを避けるために装置レイアウトに制約が生じ、設計の自由度が低下し、更にその結果として装置の大型化を招いたりする虞がある。
【０００６】
この様な問題を回避する為には、ガイド部材が湾曲反転経路に対して大きく突出した状態と小さく突出した状態とを切り換え可能となる様に、ガイド部材をカバー部材に変位可能に設けることが有効である。即ち、カバー部材が閉じた状態においてはガイド部材を装置内部即ち湾曲反転経路に向けてカバー部材から大きく突出させて（突出状態）、ガイド部材のガイド面を下流側にまで延設し、カバー部材を開く際には、ガイド部材を小さく突出した状態とする（非突出状態）、つまりカバー部材全体として小型化を図るように構成することが有効である。
【０００７】
この様に構成する場合、カバー部材が開いた状態においてガイド部材が非突出状態から突出状態に切り替わると、ガイド部材がカバー部材から大きく突出した状態となる為に、ガイド部材を破損させ易くなる。また、この様な問題を解消する為にガイド部材の非突出状態を維持するロック手段を設ける際、当該ロック手段を記録装置本体の側に設けると、仮にカバー部材が記録装置本体から完全に取り外された際にガイド部材が突出状態、即ち破損を招き易い状態に切り替わってしまう虞がある。また、ロック手段を記録装置本体の側に設けると、記録装置本体の側の装置レイアウトに制約が生じるといった問題も生じる。
【０００８】
そこで本発明はこの様な状況に鑑みなされたものであり、その目的は、紙ジャム処理の為に用紙搬送経路の一部を露呈させるカバー部材と、このカバー部材において突出状態と非突出状態とをとり得る様に設けられるガイド部材と、を備えた記録装置において、カバー部材が開いた状態におけるガイド部材の状態を適切な状態に維持することにある。
【課題を解決するための手段】
【０００９】
上記課題を解決するために、本発明の第１の態様は、被記録媒体に記録を行う記録手段を備えた記録装置であって、前記記録装置の外装の一部に形成された開口が覆われたクローズ状態と、前記開口が開放されたオープン状態と、を形成するカバー部材と、前記カバー部材から装置内部への突出量が大なる突出状態と前記突出量が小なる非突出状態とをとり得るよう前記カバー部材に直接又は他の部材を介して設けられ、前記カバー部材が前記クローズ状態を形成する際に、前記突出状態をとることで搬送される被記録媒体を下流側へ案内する、被記録媒体を搬送する搬送経路の一部を構成するガイド部材と、前記ガイド部材が前記非突出状態を維持するよう前記ガイド部材の状態をロックするガイド部材ロック手段と、を備え、前記ガイド部材ロック手段が前記カバー部材の側に設けられ、前記カバー部材が前記オープン状態を形成する際に、常に前記ガイド部材の前記非突出状態が維持される様構成されていることを特徴とする。
【００１０】
本態様によれば、前記記録装置の外装の一部に形成された開口が覆われたクローズ状態と、前記開口が開放されたオープン状態と、を形成するカバー部材が設けられており、またこのガイド部材には、被記録媒体を搬送する搬送経路の一部を構成するガイド部材が、前記カバー部材から装置内部への突出量が大なる突出状態と前記突出量が小なる非突出状態とをとり得るように設けられている。従ってガイド部材の非突出状態では小型化が図られる為、カバー部材がクローズ状態からオープン状態を形成する際に、或いはその逆の場合においても、ガイド部材が他の構成要素と干渉する様なことがなく、従って装置レイアウトに制約を招くことがなく、装置の大型化も防止できる。
【００１１】
そして、前記ガイド部材が前記非突出状態を維持するよう前記ガイド部材の状態をロックするガイド部材ロック手段が、前記カバー部材の側に設けられ、前記カバー部材が前記オープン状態を形成する際に、常に前記ガイド部材の前記非突出状態が維持される様構成されていることから、前記カバー部材が仮に記録装置本体から完全に取り外されても、前記ガイド部材は前記非突出状態に維持されることとなり、カバー部材が前記オープン状態を形成する際にガイド部材が大きく突出して破損を招くといった不具合を、確実に防止することができる。また、ガイド部材ロック手段を記録装置本体の側に設けないので、記録装置本体の装置レイアウトに制約が生じることもない。
【００１２】
本発明の第２の態様は、上記第１の態様において、前記クローズ状態を保持するよう前記カバー部材をロックするロック状態と当該ロック状態を解除するロック解除状態とを切換可能なカバー部材ロック手段と、前記カバー部材ロック手段と連係し、前記カバー部材がロックされると前記ガイド部材を前記突出状態とし、前記カバー部材のロック状態が解除されると前記ガイド部材を前記非突出状態とするガイド部材切換手段とを備えていることを特徴とする。
【００１３】
本態様によれば、前記カバー部材のロック操作／ロック解除操作に連係して、前記ガイド部材の突出状態／非突出状態を前記カバー部材の状態に応じて適切に切り換えることができるので、前記カバー部材と前記ガイド部材を別々に操作する必要がなく、ユーザの操作性が向上する。
【００１４】
本発明の第３の態様は、上記第１のまたは第２の態様において、前記カバー部材が、前記記録装置の本体に回動可能に設けられ、回動することによって前記クローズ状態と前記オープン状態とを形成することを特徴とする。本態様によれば、前記カバー部材が、前記記録装置の本体に回動可能に設けられ、回動することによって前記クローズ状態と前記オープン状態とを形成するので、容易な操作で前記クローズ状態と前記オープン状態とを形成することができる。
【００１５】
本発明の第４の態様は、上記第１のまたは第２の態様において、前記カバー部材が、前記記録装置の本体に着脱自在に設けられ、装着状態において前記クローズ状態を形成し、取り外し状態において前記オープン状態を形成することを特徴とする。本態様によれば、前記カバー部材が、前記記録装置の本体に着脱自在に設けられ、装着状態において前記クローズ状態を形成し、取り外し状態において前記オープン状態を形成するので、前記カバー部材が開いた状態を維持する為のスペースを必要とせず、記録装置を設置するスペースの節約を図ることができる。
【００１６】
本発明の第５の態様は、上記第２乃至第４の態様のいずれかにおいて、前記カバー部材ロック手段が、前記記録装置の本体と係合して前記カバー部材を前記クローズ状態にロックするロック位置と、前記記録装置の本体との係合を解除して前記ロック状態を解除する非ロック位置と、を変位可能に設けられるロック部材と、当該ロック部材を前記ロック位置に向けて付勢するロック部材付勢手段と、を備えて構成されていることを特徴とする。本態様によれば、ロック部材を操作することにより、容易にカバー部材のロック状態を解除可能になるとともに、ロック部材はロック位置に向けて付勢されているので、不用意にロック状態が解除されることがない。
【００１７】
本発明の第６の態様は、上記第５の態様において、前記ガイド部材ロック手段が、前記カバー部材が前記オープン状態を形成する際に前記ロック部材の一部と係合して当該ロック部材を前記非ロック位置に保持する保持位置と、前記カバー部材が前記クローズ状態を形成する際に前記ロック部材の一部と係合せずに当該ロック部材の変位動作を許容する非保持位置と、を変位可能に設けられる保持部材と、前記保持部材を前記保持位置に向けて付勢する保持部材付勢手段と、を備えて構成され、前記カバー部材が前記クローズ状態を形成する際には、前記保持部材が、前記記録装置の本体の一部と係合することにより、前記保持部材付勢手段の付勢力に抗して前記非保持位置に位置し、前記カバー部材が前記オープン状態を形成する際には、前記保持部材が、前記保持部材付勢手段からの付勢力を受けて前記保持位置に位置するよう構成されていることを特徴とする。
【００１８】
本態様によれば、カバー部材がオープン状態を形成する際に、常に前記ガイド部材の前記非突出状態を維持する構成を、前記保持部材によって、構造簡単にして低コストに得ることができる。
【００１９】
本発明の第７の態様は、上記第１から第６の態様のいずれかにおいて、被記録媒体を湾曲反転させて給送する湾曲反転給送経路を備え、前記ガイド部材が、前記突出状態において前記湾曲反転給送経路の一部を構成するとともに、被記録媒体をガイドするガイド面を前記湾曲反転経路の終了位置から下流側に延設する様構成されていることを特徴とする。本態様によれば、紙ジャムの生じ易い湾曲反転給送経路を備えた記録装置において、上記第１から第６の態様のいずれかに記載の作用効果を得ることができる。
【００２０】
本発明の第８の態様は、被噴射媒体に液体噴射を行う液体噴射手段を備えた液体噴射装置であって、前記液体噴射装置の外装の一部に形成された開口が覆われたクローズ状態と、前記開口が開放されたオープン状態と、を形成するカバー部材と、前記カバー部材から装置内部への突出量が大なる突出状態と前記突出量が小なる非突出状態とをとり得るよう前記カバー部材に直接又は他の部材を介して設けられ、前記カバー部材が前記クローズ状態を形成する際に、前記突出状態をとることで搬送される被噴射媒体を下流側へ案内する、被噴射媒体を搬送する搬送経路の一部を構成するガイド部材と、前記ガイド部材が前記非突出状態を維持するよう前記ガイド部材の状態をロックするガイド部材ロック手段と、を備え、前記ガイド部材ロック手段が前記カバー部材の側に設けられ、前記カバー部材が前記オープン状態を形成する際に、常に前記ガイド部材の前記非突出状態が維持される様構成されていることを特徴とする。
【発明を実施するための最良の形態】
【００２１】
以下では、図１及び図２を参照しながら、本発明に係る記録装置或いは液体噴射装置の一例としてのインクジェットプリンタ（以下「プリンタ」と言う）１の全体構成について概説する。ここで、図１はプリンタ１の外観斜視図、図２は同側断面図である。尚、以下では、図２の右方向（装置前方側）を用紙搬送経路の「下流側」と言い、左方向（装置後方側）を「上流側」と言うこととする。
【００２２】
図１に示すようにプリンタ１は、プリンタ機能に加えてスキャナ機能を備える複合機であり、プリンタ部１Ａと、プリンタ部１Ａの上部に位置するスキャナユニット１Ｂとを備えて成る。  
プリンタ部１Ａは、主として「被記録媒体」、「被噴射媒体」の一例としての記録用紙（主として単票紙）へインクジェット記録を行うインクジェット式プリンタの機能を備えている。プリンタ部１Ａの上部手前側には、操作釦及び液晶表示部等から構成される操作パネル１Ｃが設けられており、スキャナユニット１Ｂを使用したスキャニング機能、プリンタ部１Ａでの記録機能及びスキャニングした画像を記録する機能などがこの操作パネル１Ｃで操作可能となっている。
【００２３】
スキャナユニット１Ｂは、装置後部の回動軸（図示せず）を中心に上方へ回動することにより開閉可能な蓋体８を備え、蓋体８の下側にはスキャニングを行う際に対象となる印刷物等を載置するガラス載置面（図示せず）が設けられている。更にガラス載置面の下側にはスキャニング装置（図示せず）が設けられている。スキャナユニット１Ｂは、それ自体が全体として装置後部の回動軸（図示せず）を中心に上方へ回動することで、プリンタ部１Ａの上部が開放され、キャリッジ等の記録部における部材（例えばインクカートリッジ）の交換やメンテナンス等ができるようになっている。
【００２４】
以下、プリンタ部１Ａの用紙搬送経路上の構成について図２を参照しながら説明する。図２に示す様にプリンタ１は複数の給送手段を備えており、即ち装置後部にリア給送装置２を、装置底部にフロント給送装置３を備え、これら２つの給送装置から、搬送手段５へと「被記録媒体」或いは「被噴射媒体」としての記録用紙Ｐを給送する。記録用紙Ｐは搬送手段５によって記録手段４（記録ヘッド４８）へと搬送され、記録が実行された後、排出手段６によって図示しないスタッカへと排出される。
【００２５】
以下、用紙搬送（給送）経路上の構成要素について更に詳説する。  
リア給送装置２は、ホッパ１２と、給送ローラ１１と、リタードローラ１３と、図示しない戻しレバーと、更に図示しないその他の構成要素を備えている。  
ホッパ１２は板状体から成り、上部の揺動支点１２ａを中心に揺動可能に設けられ、揺動することにより、ホッパ１２上に傾斜姿勢に支持された用紙Ｐ１を給送ローラ１１に圧接させる圧接姿勢と、給送ローラ１１から離間させる離間姿勢と、を切り換える。
【００２６】
給送ローラ１１は円形状を成し、回転することにより、圧接した最上位の用紙Ｐ１を下流側へ給送する。尚、以下ではリア給送装置２にセットされ、給送される記録用紙を「用紙Ｐ１」と言い、フロント給送装置３にセットされ、給送される記録用紙を「用紙Ｐ２」と言い、両者を区別する必要の無い場合には「用紙Ｐ」或いは単に用紙と言うこととする。
【００２７】
次に、リタードローラ１３は、外周が弾性材によって形成されるとともに給送ローラ１１と圧接可能に設けられ、且つ、トルクリミッタ機構により、所定の回転抵抗が与えられた状態に設けられている。従って用紙Ｐ１の重送が発生せずに、１枚だけ給送されている場合には、リタードローラ１３は給送ローラ１１に対して従動回転し、用紙Ｐ１が給送ローラ１１とリタードローラ１３との間に複数枚存在する場合には、用紙間の滑り作用によって回転せずに停止した状態となり、次位以降の用紙Ｐ１の重送が防止される。尚、リタードローラ１３近傍には図示しない用紙戻しレバーが設けられており、この用紙戻しレバーによって、重送されようとした次位以降の用紙Ｐ１がホッパ１１上に戻される。
【００２８】
一方、リア給送装置２の下部に位置し、用紙を装置前方からセットする様構成されたフロント給送装置３は、複数枚の用紙Ｐ２を積層状態でセット可能な給紙カセット２５と、ピックアップローラ２６と、給送ローラ２８、分離ローラ２９と、アシストローラ３０と、カバーＡｓｓｙ６０（後に詳述）と、更に図示しないその他の構成要素を備えている。
【００２９】
図示しない駆動モータによって回転駆動されるピックアップローラ２６は、揺動部材２７に設けられており、揺動部材２７は揺動軸２７ａを中心に揺動可能に設けられていて、これにより、ピックアップローラ２６が、符号２６と２６’で示すように給紙カセット２５にセットされた用紙Ｐ２の最上位のものに対して接離可能となっている。そしてピックアップローラ２６は、給紙カセット２５にセットされた用紙Ｐ２の最上位のものと接して回転することにより、当該最上位の用紙Ｐ２を給紙カセット２５から取り出して給送方向へ送り出す。
【００３０】
給送ローラ２８は図示しない駆動モータによって回転駆動され、給紙カセット２５から送り出された最上位の用紙Ｐ２を略Ｕ字状に湾曲反転させて、即ち用紙取り出し方向（図１の左方向）とは反対方向に反転させて、紙案内後４４を経て搬送手段５へと給送する。即ち、給送ローラ２８の外周面によって、用紙Ｐ２を湾曲反転させて給送する略Ｕ字状の湾曲反転給送経路が形成される。尚、符号６６と６７は給送ローラ２８の外周面と対向して設けられるガイド部材（固定ガイド６６、可動ガイド６７）であって、給送ローラ２８とともに前記湾曲反転給送経路を形成する。尚、固定ガイド６６、可動ガイド６７については後に詳述する。
【００３１】
次に、フロント給送装置３には、２つの分離部（分離手段）が設けられている。第１の分離部は、給紙カセット２５にセットされる用紙先端と対向する位置に設けられた、摺接面３５によって構成される。即ち、ピックアップローラ２６によって給送方向に送り出される用紙Ｐ２の先端は、摺接面３５に摺接しながら下流側へと送られ、これによって給送されるべき最上位の用紙Ｐ２と、これに連れられて重送されようとする次位以降の用紙Ｐ２とが分離される。
【００３２】
第２の分離部は、給送ローラ２８と分離ローラ２９とを備えて構成される。分離ローラ２９は、給送ローラ２８の外周面と対向する位置に配置され、且つ、符号２９と２９’で示すように給送ローラ２８に対して進退可能に設けられている。また、分離ローラ２９は、上記リタードローラ１３と同様にトルクリミッタ機構により、所定の回転抵抗が与えられた状態に設けられている。
【００３３】
従って分離ローラ２９は給送される用紙Ｐ２を給送ローラ２８とでニップすることにより、重送が発生せずに１枚だけ給送されている場合には当該用紙Ｐ２と接して従動回転し、用紙Ｐ２が給送ローラ２８と分離ローラ２９との間に複数枚存在する場合には、用紙間の滑り作用によって回転せずに停止した状態となり、重送されようとする次位以降の用紙Ｐ２は給送ローラ２８と分離ローラ２９とのニップ点近傍に留められ、重送が防止される。尚、符号３８は用紙先端を給送ローラ２８と分離ローラ２９とのニップ点へ案内するガイドローラを示している。
【００３４】
次に、アシストローラ３０は、給送ローラ２８の外周面と接して従動回転するよう設けられており、用紙Ｐ２を給送ローラ２８との間でニップすることにより、給送ローラ２８の回転に伴う用紙Ｐ２の給送をアシストする。  
次に、リア給送装置２及びフロント給送装置３の下流側には、給送される用紙Ｐの通過を検出する用紙検出器（図示せず）と、リア給送装置２から給送される用紙Ｐ１の給送姿勢を形成するガイドローラ４０と、給送される用紙Ｐを搬送手段５へと案内する紙案内後４４と、が設けられている。
【００３５】
搬送手段５は、モータによって回転駆動される搬送駆動ローラ４１と、該搬送駆動ローラ４１に圧接して従動回転するよう紙案内上４３に軸支される搬送従動ローラ４２とを備えて構成されている。搬送手段５に到達した用紙Ｐは、搬送駆動ローラ４１と搬送従動ローラ４２とによってニップされた状態で搬送駆動ローラ４１が回転することにより、下流側の記録手段４（記録ヘッド４８）へと搬送される。
【００３６】
記録ヘッド（液体噴射ヘッド）４８はキャリッジ４６の底部に設けられ、当該キャリッジ４６は主走査方向（図２の紙面表裏方向）に延びるキャリッジガイド軸４７にガイドされながら、図示しない駆動モータによって主走査方向に往復動する様に駆動される。また、キャリッジ４６は、複数の色毎に独立したインクカートリッジ（図示せず）を搭載し、このインクカートリッジから記録ヘッド４８へとインクが供給される。
【００３７】
記録ヘッド４８と対向する位置には紙案内下４５が設けられ、当該紙案内下４５によって、用紙Ｐと記録ヘッド４８との距離が規定される。尚、紙案内下４５において記録ヘッド４８と対向する部分には、上流側からリブ４５ａ、４５ｂ、４５ｃが形成されており、各リブの間に用紙先端或いは後端を位置決めした状態で用紙先端或いは用紙後端から外れた領域にもインクを吐出することにより、所謂縁無し印刷が実行される。
【００３８】
続いて、記録手段４の下流側には、紙案内下４５からの用紙Ｐの浮き上がりを防止する補助ローラ５７と、記録の行われた用紙Ｐを排出する排出手段６とが設けられている。排出手段６は図示しないモータによって回転駆動される排出駆動ローラ５５と、当該排出駆動ローラ５５に接して従動回転する排出従動ローラ５６とを備えて構成されている。
【００３９】
排出従動ローラ５６は外周に複数の歯を有する歯付きローラによって成されるとともに、主走査方向に長い形状を成す排紙フレームＡｓｓｙ５４に、複数の排出駆動ローラ５６に対応するよう複数設けられる。記録手段４によって記録の行われた用紙Ｐは、排出駆動ローラ５５と排出従動ローラ５６とによってニップされた状態で排出駆動ローラ５５が回転駆動されることにより、装置前方側に設けられたスタッカ（図示せず）へと排出される。
【００４０】
以上がプリンタ１の構成であり、以下、図３乃至図１４を参照しながらフロント給送装置３の構成について更に詳説する。ここで、図３及び図４はプリンタ１を後方から見た斜視図、図５乃至図７はフロント給送装置３（カバーＡｓｓｙ６０）を後方から見た斜視図、図８はカバーＡｓｓｙ６０の斜視図、図９はカバーＡｓｓｙ６０の分解斜視図、図１０（Ａ）、（Ｂ）はスライダ右６４、左６５及び保持部材６８の斜視図、図１１（Ａ）、（Ｂ）は同側面図、図１２乃至図１４はフロント給送装置３を中心とした用紙給送経路の側断面図である。
【００４１】
図３に示すようにプリンタ１の背面にはプリンタ１の外装を構成するリアカバー上５９と「カバー部材」としてのリアカバー下６３が設けられており、リアカバー下６３には摘み部６４ａ、６５ａが設けられている。リアカバー上５９は取り外し可能となっていて、リアカバー上６４を取り外し、且つ摘み部６４ａ、６５ａを操作してリアカバー下６３（カバーＡｓｓｙ６０）を回動させることで、図４に示す様にプリンタ１の外装後部に形成された開口１Ｄがオープン状態となり、或いは図３に示すように開口１Ｄが覆われたクローズ状態となる。従ってオープン状態では、フロント給送装置３において紙ジャムが発生した際に、用紙を取り除くことが可能となる。リアカバー下６３は、この様に開口１Ｄが覆われたクローズ状態と、開口１Ｄが開放されたオープン状態とを形成する。
【００４２】
リアカバー下６３を含むカバーＡｓｓｙ６０は、図５に示す様にプリンタ１（フロント給送装置３）の基体の一部を構成するフレーム６１、６２に、回動軸６３ａを回動支点として回動可能に取り付けられている。  
カバーＡｓｓｙ６０は、図８、図９に示す様にリアカバー下６３の内側に、スライダ右６４、スライダ左６５、固定ガイド６６、可動ガイド６７、保持部材６８、ばね６９、ラック部材７０、７０、ピニオン歯車７１、７１、を備えて構成されている。
【００４３】
「カバー部材ロック手段」を構成する「ロック部材」としてのスライダ右６４と左６５は、リアカバー下６３において左右にスライド可能に設けられており、且つ、図示しない付勢手段（ロック部材付勢手段）によって互いに離間する方向に付勢された状態に設けられている。  
固定ガイド６６にはラック部材７０、７０がスライダ右６４、左６５のスライド方向と直交する方向（プリンタ１の奥行き方向）にスライド可能に設けられ、またラック部材７０、７０に形成された歯と噛合するピニオン歯車７１、７１が固定ガイド６６に設けられている。
【００４４】
可動ガイド６７はラック部材７０、７０によって支持されており、即ちラック部材７０、７０によって、スライダ右６４、左６５のスライド方向と直交する方向に移動可能となっている。ここで、スライダ左６５には歯６５ｃ、６５ｃが形成されており、これら歯６５ｃ、６５ｃがピニオン歯車７１、７１と噛合する様設けられている。従ってスライダ右６４、左６５のスライド動作に伴ってピニオン歯車７１、７１が回動し、その結果ラック部材７０、７０、即ち可動ガイド６７が、スライダ右６４、左６５のスライド方向と直交する方向（装置の奥行き方向）に移動する。即ち、スライダ左６５、ラック部材７０、ピニオン歯車７１が「ガイド部材切換手段」を構成する。
【００４５】
スライダ右６４とスライダ左６５の側面には、それぞれ外側に向かって突出する突起６４ａ、６５ａが形成されており、これら突起６４ａ、６５ａが、リアカバー下６３の側面に形成された穴６３ｂ、６３ｂからそれぞれ突出する様に設けられる。また、スライダ右６４とスライダ左６５の前面には、図４、図５に示す様にそれぞれ摘み部６４ａ、６５ａが形成されており、それぞれがリアカバー下６３に形成された窓部６３ｃから露呈する様に構成される。
【００４６】
以上の様に構成されたカバーＡｓｓｙ６０は、上述した様にフレーム６１、６２に回動可能に支持される。図５は、リアカバー下６３が、クローズ状態を保持する様ロックされた状態を示している。この状態ではスライダ右６４に形成された突起６４ｂが、フレーム６１に形成された穴６１ａに嵌入し（このときのスライダ右６４、左６５の位置が「ロック位置」となる）、これによってカバーＡｓｓｙ６０の回動軸６３ａを回動支点とした回動ができない様にロックされている（リアカバー下６３の「ロック状態」）。尚、このロック状態では、スライダ左６５の突起６５ｂも、フレーム６２に形成された穴（図示せず）に嵌入している。
【００４７】
この状態では摘み部６４ａ、６５ａが図５に示す様に互いに離間しており、この状態から図６に示す様に摘み部６４ａ、６５ａを互いに近接させる様に操作すると、スライダ右６４に形成された突起６４ｂが、フレーム６１に形成された穴６１ａから退避し（このときのスライダ右６４、左６５の位置が「非ロック位置」となる）、即ちフレーム２１、２２との係合状態が解除され、カバーＡｓｓｙ６０が回動軸６３ａを中心に回動可能な状態となる（リアカバー下６３の「ロック解除状態」）。
【００４８】
また、摘み部６４ａ、６５ａを操作することによって、上述したように可動ガイド６７がリアカバー下６３に近接する方向に移動する。即ち、可動ガイド６７は、リアカバー下６３がロック状態のときにリアカバー下６３からの装置内部への突出量が大なる状態となり（可動ガイド６７の「突出状態」）、リアカバー下６３のロック状態が解除される際、リアカバー下６３の側に近接移動して前記突出量が小なる状態となる（可動ガイド６７の「非突出状態」）。
【００４９】
この状態からカバーＡｓｓｙ６０を回動軸６３ａを中心に手前側に回動させることで、図７に示す様にフロント給送装置３における給送ローラ２８を中心とした湾曲反転給送経路が露呈し、紙ジャム処理が可能な状態となる。  
尚、図５乃至図７において符号６３ｃはリアカバー下６３の側面に形成されたボスを示しており、このボス６３ｃが、フレーム６１に形成された円弧状のガイド溝６１ｃに遊挿され、これによってカバーＡｓｓｙ６０の回動範囲が規制される様になっている。
【００５０】
次に、可動ガイド６７は、「ガイド部材ロック手段」によって、リアカバー下６３がオープン状態を形成する際に、常に非突出状態に維持される様になっている。  
このガイド部材ロック手段は、図９、図１０に示す保持部材６８及びばね６９を備えて構成されている。
【００５１】
保持部材６８及びばね６９は、プリンタ１（フロント給送装置３）の本体側ではなくカバーＡｓｓｙ６０の側に設けられており、図１２に示すようにガイド部材３６に形成された係合部３６ａに向けて、ばね６９によって付勢された状態に設けられる。  
図１２（及び図１３）はリアカバー下６３がクローズ状態を形成する状態を示しており、この状態では、保持部材６８はばね６９の付勢力に抗してリアカバー下６３の側に近接した位置にある。
【００５２】
ここで、保持部材６８には図９、図１０に示すように突起６８ａ、６８ａが所定間隔を置いて形成されており、スライダ右６４、左６５には、突起６８ａ、６８ａに望む位置に突起６４ｄ、６５ｄがそれぞれ形成されていて、リアカバー下６３がクローズ状態を形成する際には、図１２に示す様に突起６８ａ、６８ａが突起６４ｄ、６５ｄよりもリアカバー下６３の側に位置し、即ち突起６８ａ、６８ａはスライダ右６４、左６５の変位動作を許容する状態にある（保持部材６８の「非保持位置」）。
【００５３】
この状態から、摘み部６４ａ、６５ｂが図６に示す様に操作されると、突起６４ｄ、６５ｄが図１０（Ａ）、図１１（Ａ）に示す様に互いに近接するとともに保持部材６８の突起６８ａ、６８ａの間の空間に望む位置に配置される。尚この際、図１３に示す様に、可動ガイド６７が非突出状態となり、可動ガイド６７の先端６７ａが紙案内後４４から退避する。
【００５４】
そしてカバーＡｓｓｙ６０が回動すると、図１４に示す様に保持部材６８と係合部３６ａとの係合状態が解除され、保持部材６８はばね６９の付勢力を受けてリアカバー下６３から離間する方向に移動する。  
図１０（Ｂ）、図１１（Ｂ）はこのときの状態を示すものであり、図示する様に保持部材６８の突起６８ａ、６８ａの間にスライダ右６４、左６５の突起６４ｄ、６５ｄが入り込み、スライダ右６４、６５のスライド動作が規制された状態となり、即ちスライダ右６４、左６５が非ロック位置に保持される（保持部材６８の「保持位置」）。  
以上により、リアカバー下６３がオープン状態を形成する際には、可動ガイド６７が、常に非突出状態に維持されることとなる。
【００５５】
以下、可動ガイド６７の視点に立って更に説明する。可動ガイド６７は図１２に示す様にリアカバー下６３がクローズ状態を形成する際には、給送ローラ２８の外周面によって形成される湾曲反転給送経路に向けて突出した状態にあり、この状態ではその先端６７ａが湾曲反転給送経路の終了位置（給送ローラ２８による用紙の湾曲区間が終わる位置）から更に下流側にまで延び、即ち用紙を案内するガイド面が湾曲反転給送経路の終了位置より更に下流側にまで延設されて、シームレスな用紙ガイド面を形成する。
【００５６】
しかしながらこの様な可動ガイド６７の突出状態では、カバーＡｓｓｙ６０が回動軸６３ａを回動支点として回動しようとしても、可動ガイド６７の先端６７ａがリア給送装置２の底部と干渉してしまう。尚、図１１において符号Ｒ１は、可動ガイド６７が突出状態のままカバーＡｓｓｙ６０が回動する際に先端６７ａが描く軌跡を示している。
【００５７】
次に、図１３は可動ガイド６７の非突出状態を示しており、図示する様にこの状態では、可動ガイド６７がリアカバー下６３の側に退避するため、可動ガイド６７の先端６７ａが描く軌跡（符号Ｒ２で示す）はリア給送装置２と干渉せず、カバーＡｓｓｙ６０が回動軸６３ａを中心に回動可能な状態となる。そして、図１４に示すオープン状態では、摘み部６４ａ、６５ａから手を離しても、可動ガイド６７は非突出状態に維持されるので、カバーＡｓｓｙ６０の小型化が図られ、オープン状態における可動ガイド６７の破損等（特に可動ガイド６７の先端６７ａの破損）を防止することができる。
【００５８】
また、リアカバー下６３がクローズ状態からオープン状態を形成する際に、或いはその逆の場合においても、可動ガイド６７が非突出状態となることで、可動ガイド６７の先端６７ａがプリンタの構成要素と衝突して先端６７ａが破損することを防止できるとともに、装置レイアウトに制約が生じることを防止でき、設計の自由度を維持することができ、また装置の大型化を防止することができる。
【００５９】
更に、可動ガイド６７の突出状態／非突出状態の切り換えは、上述の通りリアカバー下６３のロック操作／ロック解除操作に連係して行われるので、リアカバー６３のロック操作／ロック解除操作と可動ガイド６７の状態切り換え操作を別々に行う必要がなく、操作性の向上が図られている。
【００６０】
そして可動ガイド６７を非突出状態に維持する保持部材６８はカバーＡｓｓｙ６０の側に設けられるので、仮にカバーＡｓｓｙ６０がプリンタ１本体から完全に取り外されても、可動ガイド６７の非突出状態は確実に維持される。また、保持部材６８はカバーＡｓｓｙ６０の側に設けられるので、プリンタ１本体の装置レイアウトに制約が生じることもない。
【００６１】
図１５及び図１６は他の実施形態を示すものであり。上記実施形態と同一の構成要素には同一の符号を付している。この実施形態では、カバーＡｓｓｙ６０は回動することによってオープン状態／クローズ状態を形成するものではなく、着脱されることによって、オープン状態／クローズ状態を形成する。
【００６２】
即ち、上記実施形態における回動軸６３ａに代えて、突起６４ｂが設けられている。従って摘み部６４ａ、６５ａを摘むと片側において突起６４ｂ、６４ｂがフレーム６１０に形成された穴６１ａ、６１ａから退避するとともに可動ガイド６７が非突出状態となり、そして図１６に示す様にカバーＡｓｓｙ６０がプリンタ１本体から完全に取り外し可能となる。この様な実施形態によれば、カバーＡｓｓｙ６０が回動するスペースが不要となる。尚、この実施形態においても、カバーＡｓｓｙ６０が取り外され且つ摘み部６４ａ、６５ａから手を離した状態においても可動ガイド６７の非突出状態が維持されることは言うまでもない。
【図面の簡単な説明】
【００６３】
【図１】本発明に係るプリンタの外観斜視図。
【図２】本発明に係るプリンタの側断面図。
【図３】本発明に係るプリンタを後方から見た斜視図。
【図４】本発明に係るプリンタを後方から見た斜視図。
【図５】フロント給送装置（カバーＡｓｓｙ）を後方から見た斜視図。
【図６】フロント給送装置（カバーＡｓｓｙ）を後方から見た斜視図。
【図７】フロント給送装置（カバーＡｓｓｙ）を後方から見た斜視図。
【図８】カバーＡｓｓｙの斜視図。
【図９】カバーＡｓｓｙの分解斜視図。
【図１０】（Ａ）、（Ｂ）共にスライダ及び保持部材の斜視図。
【図１１】（Ａ）、（Ｂ）共にスライダ及び保持部材の側面図。
【図１２】フロント給送装置の側断面図。
【図１３】フロント給送装置の側断面図。
【図１４】フロント給送装置の側断面図。
【図１５】他の実施形態に係るカバーＡｓｓｙを後方から見た斜視図。
【図１６】他の実施形態に係るカバーＡｓｓｙを後方から見た斜視図。
【符号の説明】
【００６４】
１  インクジェットプリンタ、１Ａ  プリンタ部、１Ｂ  スキャナユニット、１Ｄ  開口、２  リア給送装置、３  フロント給送装置、４  記録手段、５  搬送手段、６  排出手段、２５  給紙カセット、２６  ピックアップローラ、２７  揺動部材、２８  給送ローラ、２９  分離ローラ、３０  アシストローラ、３６  ガイド部材、３８  ガイドローラ、４０  ガイドローラ、４１  搬送駆動ローラ、４２  搬送従動ローラ、４３  紙案内上、４４  紙案内後、４５  紙案内下、４６  キャリッジ、４７  キャリッジガイド軸、４８  記録ヘッド、５５  排出駆動ローラ、５６  排出従動ローラ、５７  補助ローラ、５９  リアカバー上、６０  カバーＡｓｓｙ、６１、６２  フレーム、６３  リアカバー下、６３ａ  回動軸、６３ｂ  穴、６３ｃ  窓部、６４  スライダ右、６４ａ  摘み部、６４ｂ  突起、６４ｄ  突起、６５  スライダ左、６５ａ  摘み部、６５ｂ  突起、６５ｃ  ラック、６５ｄ  突起、６６  固定ガイド、６７  可動ガイド、６８  保持部材、６８ａ  突起、６９  ばね、７０  ラック部材、７１  ピニオン、Ｐ１、Ｐ２  記録用紙
【図１】
0004721005.tif 000002
【図２】
0004721005.tif 000003
【図３】
0004721005.tif 000004
【図４】
0004721005.tif 000005
【図５】
0004721005.tif 000006
【図６】
0004721005.tif 000007
【図７】
0004721005.tif 000008
【図８】
0004721005.tif 000009
【図９】
0004721005.tif 000010
【図１０】
0004721005.tif 000011
【図１１】
0004721005.tif 000012
【図１２】
0004721005.tif 000013
【図１３】
0004721005.tif 000014
【図１４】
0004721005.tif 000015
【図１５】
0004721005.tif 000016
【図１６】
0004721005.tif 000017